(57)【要約】【課題】外壁に負担をかけることなく、吊り下げ対象物の大きさ変更にも対応できる外壁フック構造を提供することを目的とする。【解決手段】外壁フック構造は、軸組１を構成する梁１０から持ち出されたアンカー部材２と、アンカー部材２に着脱自在に固定される雄ネジ部３１、及び、雄ネジ部３１がアンカー部材２に固定された状態で雄ネジ部３１から延びて軸組１を囲う外壁５の外側面５１から突出する係止部３２を有するブラケット部材３と、ブラケット部材３の係止部３２に係止され、吊り下げ対象物が吊り下げられるフック部４と、を備える。【選択図】図１
2013174082.tif 000002
【特許請求の範囲】
【請求項１】
軸組を構成する梁から持ち出されたアンカー部材と、
前記アンカー部材に着脱自在に固定される固定部、及び、前記固定部が前記アンカー部材に固定された状態で前記固定部から延びて前記軸組を囲う外壁の外側面から突出する係止部を有するブラケット部材と、
前記ブラケット部材の前記係止部に係止されるフック部と、
を備える外壁フック構造。
【請求項２】
前記アンカー部材はナット部を有し、
前記固定部は前記ナット部に螺合する雄ネジ部である、
請求項１に記載の外壁フック構造。
【請求項３】
前記ナット部における前記雄ネジ部がねじ込まれる側の端面と、前記外壁の外側面とが同一面となっている、請求項２に記載の外壁フック構造。
【請求項４】
前記アンカー部材と前記外壁との間には、所定の隙間が設けられている、請求項１〜３のいずれか一項に記載の外壁フック構造。
【請求項５】
前記フック部は、所定の重量を超える吊り下げ対象物が吊り下げられたときに変形することで吊り下げ機能を失うように構成されている、請求項１〜４のいずれか一項に記載の外壁フック構造。
【請求項６】
前記フック部は、両端部を重ねて閉曲線状に形成された線材によって構成され、所定の重量を超える吊り下げ対象物が吊り下げられたときに、前記線材の両端部の間隔が開くことで吊り下げ機能を失う、請求項５に記載の外壁フック構造。
【請求項７】
前記フック部は、８の字形の閉曲線状に形成され、前記８の字形の一方の環状部が前記係止部に設けられた孔に挿通され、前記８の字形の他方の環状部に吊り下げ対象物が吊り下げられる、請求項６に記載の外壁フック構造。
【請求項８】
前記他方の環状部に吊り下げ対象物が吊り下げられた状態において、前記線材の両端部の重なり部は、前記他方の環状部の側部位置に設けられている、請求項７に記載の外壁フック構造。
【発明の詳細な説明】
【技術分野】
【０００１】
本発明は、吊り下げ対象物を吊り下げ可能な外壁フック構造に関するものである。
【背景技術】
【０００２】
従来、外壁にプランター等の吊り下げ対象物を吊り下げる場合、外壁にフックを設けることが行われている。このようなフックを外壁に取り付けて、フックに吊り下げ対象物を吊り下げる構成が、例えば、特許文献１，２に開示されている。
【先行技術文献】
【特許文献】
【０００３】
【特許文献１】特開平５−２１９８３６号公報
【特許文献２】実用新案登録第３０６６１９１号公報
【発明の概要】
【発明が解決しようとする課題】
【０００４】
しかしながら、特許文献１，２に記載された構成では、吊り下げ対象物の重量が外壁に作用し、外壁が破損する恐れがある。また、吊り下げ対象物の大きさによっては、吊り下げ対象物と外壁とが干渉するため、フックのサイズ（外壁の外側面からの突出寸法）を変更する必要がある。この場合、同じ位置においてフックの着脱を繰り返し行うと、フックを外壁に固定するネジを受けるネジ穴が拡大等することによりフックの固定が困難になることがある。また、外壁に対するフックの取り付け位置を変更する場合、フックの取り付け位置の変更前の外壁の位置に残るネジ穴を補修する必要が生じる。
【０００５】
そこで本発明は、このような従来技術の有する課題を解決するものであり、外壁に負担をかけることなく、吊り下げ対象物の大きさ変更にも対応できる外壁フック構造を提供することを目的とする。
【課題を解決するための手段】
【０００６】
上記課題を解決すべく、本発明に係る外壁フック構造は、軸組を構成する梁から持ち出されたアンカー部材と、アンカー部材に着脱自在に固定される固定部、及び、固定部がアンカー部材に固定された状態で固定部から延びて軸組を囲う外壁の外側面から突出する係止部を有するブラケット部材と、ブラケット部材の係止部に係止されるフック部と、を備える。
【０００７】
この発明では、フック部に吊り下げられた吊り下げ対象物の重量が、外壁ではなくブラケット部材及びアンカー部材を介して梁に作用する。これにより、吊り下げ対象物の重量によって、外壁に負担がかかることがなくなり外壁の破損を防止することができる。また、ブラケット部材はアンカー部材に対して着脱自在であるので、外壁の外側面からの突出寸法の異なるブラケット部材に変更することで、例えば大きな吊り下げ対象物等、様々な大きさの吊り下げ対象物を吊り下げることができる。
【０００８】
また、アンカー部材はナット部を有し、固定部はナット部に螺合する雄ネジ部である、ことが好ましい。この場合には、ブラケット部材をアンカー部材に対して容易かつ強固に固定することができる。
【０００９】
また、ナット部における雄ネジ部がねじ込まれる側の端面と、外壁の外側面とが同一面となっている、ことが好ましい。この場合には、ブラケット部材をアンカー部材から取り外した場合であっても、アンカー部材が外壁の外側面から突出することがない。従って、吊り下げ対象物を吊り下げない場合等、ブラケット部材をアンカー部材から取り外した状態であってとしても、外壁の外側面からアンカー部材が突出することがないので、見栄えが良い。
【００１０】
また、アンカー部材と外壁との間には、所定の隙間が設けられている、ことが好ましい。この所定の隙間は、吊り下げ対象物の重量がアンカー部材に加わることでアンカー部材に撓みが生じた場合であっても、アンカー部材が外壁に干渉しない隙間となっている。これにより、アンカー部材に撓みが生じた場合であっても、アンカー部材が外壁に干渉することがないので、吊り下げ対象物の重量が外壁に作用せず、外壁の破損をより一層防止することができる。
【００１１】
また、フック部は、所定の重量を超える吊り下げ対象物が吊り下げられたときに変形することで吊り下げ機能を失うように構成されている、ことが好ましい。この場合には、梁に対しても過大な荷重が作用することが防止でき、軸組に及ぼす影響を低減することができる。
【００１２】
また、フック部は、両端部を重ねて閉曲線状に形成された線材によって構成され、所定の重量を超える吊り下げ対象物が吊り下げられたときに、線材の両端部の間隔が開くことで吊り下げ機能を失う、ことが好ましい。この場合には、線材によってフック部を容易に形成することができる。また、線材の太さや材料を変更するだけで、所望の重量に耐えるフック部を容易に得ることができる。
【００１３】
また、フック部は、８の字形の閉曲線状に形成され、８の字形の一方の環状部が係止部に設けられた孔に挿通され、８の字形の他方の環状部に吊り下げ対象物が吊り下げられる、ことが好ましい。例えば、フック部が円形の閉曲線状の場合には、フック部が回転することで係止部に対するフック部の位置が定まらない。そこで、フック部を８の字形の閉曲線状とすることで、フック部の回転が防止され、係止部に対するフック部の位置決めをすることができる。これにより、フック部における、吊り下げ対象物が吊り下げられる位置が定まるため、フック部の設計が容易となる。
【００１４】
また、他方の環状部に吊り下げ対象物が吊り下げられた状態において、線材の両端部の重なり部は、他方の環状部の側部位置に設けられている、ことが好ましい。この場合、吊り下げ対象物は、フック部における線材の重なり部に当接しない。即ち、吊り下げ対象物は、フック部における線材が一本の部分（他方の環状部の下部位置）に当接する。例えば、線材の重なり部に吊り下げ対象物が当接している場合、２本の線材によって吊り下げ対象物を吊り下げたり、或いは、偏り等によって１本の線材によって吊り下げ対象物を吊り下げたりする状況が生じる。この場合、状況によって吊り下げ対象物を吊り下げる（支える）線材の本数が異なるため、フック部が吊り下げ可能な重量に変動が生じ、フック部の設計が困難となる。そこで、線材の重なり部を側部位置に設けることで吊り下げ対象物は線材が一本の部分にのみ当接することとなり、フック部によって吊り下げることができる重量の設定等、フック部の設計が容易となる。
【発明の効果】
【００１５】
本発明によれば、外壁に負担をかけることなく吊り下げ対象物を吊り下げることができ、吊り下げ対象物の大きさ変更にも対応できる。
【図面の簡単な説明】
【００１６】
【図１】実施形態に係る外壁フック構造を示す建物の断面図である。
【図２】（ａ）はフック部を取り外した状態の外壁フック構造を示す建物の断面図、（ｂ）はフック部を取り外した状態における外壁の正面図である。
【図３】（ａ）はフック部の正面図、（ｂ）はフック部の側面図である。
【図４】吊り下げ機能を失ったフック部を示す図である。
【発明を実施するための形態】
【００１７】
以下、図面を参照しつつ、本発明に係る外壁フック構造の好適な一実施形態について詳細に説明する。
【００１８】
図１及び図２に示すように、本実施形態の外壁フック構造は、建物Ｙに適用されるものであり、アンカー部材２と、ブラケット部材３と、フック部４と、を含んで構成される。ここで、建物Ｙは、梁１０等を連結することによって構成される軸組１と、軸組１を囲う外壁５と、を含んでいる。外壁５は、梁１０に取り付けられた壁固定具１１によって固定される。
【００１９】
アンカー部材２は、Ｌ字板２１と、リブ２２と、連結部２３と、ナット部２４と、を含んで構成される。Ｌ字板２１は、断面略Ｌ字状に形成され、Ｌ字状の内側に板状のリブ２２が接合されている。Ｌ字板２１は、ボルト１２によって下側フランジ１０ａの下側面に連結される。即ち、Ｌ字板２１は、下側フランジ１０ａに固定されて下側フランジ１０ａから下方側に延びている。
【００２０】
連結部２３は、棒状を成し、Ｌ字板２１の下端に接合されている。連結部２３は、Ｌ字板２１の下端から外壁５側に向かって、外壁５の外側面５１から突出することがない位置まで延びている。即ち、連結部２３の外壁５側の端部は、外壁５内に位置している。
【００２１】
ナット部２４は、連結部２３における外壁５側の端部に接合されている。ナット部２４は、ブラケット部材３の雄ネジ部３１と着脱自在に螺合する。ナット部２４におけるブラケット部材３がねじ込まれる側の端面２４ａと、外壁５の外側面５１とは略同一面となっている。
【００２２】
なお、外壁５には、連結部２３及びナット部２４と干渉することがないように、切欠き５２が設けられている。これにより、連結部２３及びナット部２４と、外壁５との間に所定の隙間が形成される。この所定の隙間は、吊り下げ対象物の重量がアンカー部材２に加わることでアンカー部材２に撓みが生じた場合であっても、アンカー部材２が外壁５に干渉しない隙間となっている。外壁５の切欠き５２とナット部２４との間の隙間には、弾性を有するシール材５３が充填されている。また、連結部２３及びナット部２４は、隣り合う外壁５の目地部を通るように、Ｌ字板２１の下端部から外壁５側に向かって延在している（図２（ｂ）参照）。なお、外壁５同士の接合部にも、シール剤が充填されている。
【００２３】
ブラケット部材３は、雄ネジ部（固定部）３１と、係止部３２と、固定ナット３３と、を含んで構成される。雄ネジ部３１は、アンカー部材２のナット部２４と着脱自在に螺合する。固定ナット３３は、雄ネジ部３１と螺合し、ナット部２４側に締め込まれて雄ネジ部３１の回転を防止する。係止部３２は、雄ネジ部３１がナット部２４に螺合した状態で雄ネジ部３１から延び、外壁５の外側面５１から突出する。係止部３２には、孔３２ａが設けられている。
【００２４】
フック部４は、吊り下げ対象物が吊り下げられるものであり、ブラケット部材３の係止部３２に設けられた孔３２ａに挿通されて係止される。以下、図３を用いて、フック部４の詳細について説明する。
【００２５】
図３に示すようにフック部４は、両側の端部４１ａ，４１ｂを重ねて８の字形の閉曲線状に形成された線材４１によって構成される。線材４１は、バネ性を有する材料によって形成される。フック部４は、８の字状の一方の環状部（以下「上側環状部」という）４ａがブラケット部材３の係止部３２に設けられた孔３２ａに通されている。従って、上側環状部４ａが係止部３２の孔３２ａに通された状態で、フック部４の他方の環状部（以下「下側環状部」という）４ｂは上側環状部４ａよりも下方側に位置する。下側環状部４ｂには、吊り下げ対象物が吊り下げられる。
【００２６】
線材４１の両側の端部４１ａ，４１ｂの重なり部４ｃは、下側環状部４ｂに吊り下げ対象物が吊り下げられた状態において、下側環状部４ｂの側部位置に設けられる。
【００２７】
図４に示すように、フック部４は、下側環状部４ｂに所定の重量を超える吊り下げ対象物が吊り下げられたときに、線材４１の両側の端部４１ａ，４１ｂの間隔が開くことで吊り下げ機能を失う。即ち、吊り下げ対象物は下側環状部４ｂから外れて落下する。
【００２８】
本実施形態は以上のように構成され、吊り下げ対象物が吊り下げられるフック部４が、ブラケット部材３及びアンカー部材２を介して梁１０に連結されているので、吊り下げ対象物の重量が、外壁５ではなく梁１０に作用する。これにより、吊り下げ対象物の重量によって、外壁５に負担がかかることがなくなり外壁５の破損を防止することができる。また、ブラケット部材３はアンカー部材２に対して着脱自在であるので、外壁５の外側面５１からの突出寸法の異なるブラケット部材３に変更することで、例えば大きな吊り下げ対象物等、様々な大きさの吊り下げ対象物を吊り下げることができる。
【００２９】
ブラケット部材３とアンカー部材２とを、ブラケット部材３に設けられた雄ネジ部３１をアンカー部材２に設けられたナット部２４に螺合させて固定することで、ブラケット部材３をアンカー部材２に対して容易かつ強固に固定することができる。
【００３０】
ナット部２４の端面２４ａと、外壁５の外側面５１とが略同一面となっていることで、ブラケット部材３をアンカー部材２から取り外した場合であっても、アンカー部材２（アンカー部材２のナット部２４）が外壁５の外側面５１から突出することがない。従って、吊り下げ対象物を吊り下げない場合等、ブラケット部材３をアンカー部材２から取り外した状態であってとしても、外壁５の外側面５１からアンカー部材２が突出することがないので、見栄えが良い。
【００３１】
外壁５に切欠き５２を設けて、アンカー部材２と外壁５との間に所定の隙間を設けた。これにより、吊り下げ対象物の重量によってアンカー部材２に撓みが生じた場合であっても、アンカー部材２が外壁５に干渉することがないので、吊り下げ対象物の重量が外壁５に作用せず、外壁５の破損をより一層防止することができる。
【００３２】
フック部４は、所定の重量を超える吊り下げ対象物が吊り下げられたときに変形することによって吊り下げ機能を失うように構成されているので、梁１０に対しても過大な荷重が作用することが防止でき、軸組１に及ぼす影響を低減することができる。
【００３３】
フック部４を、８の字形の閉曲線状に形成された線材４１によって構成することで、フック部を容易に形成することができる。また、線材４１の太さや材料を変更するだけで、所望の重量に耐えるフック部４を容易に得ることができる。
【００３４】
フック部４を、８の字形の閉曲線状とすることで、フック部４の回転が防止され、係止部３２に対するフック部４の位置決めをすることができる。例えば、フック部が円形の閉曲線状の場合には、フック部が回転することで係止部３２に対するフック部の位置が定まらない。このように、フック部４を８の字形の閉曲線状とすることで、フック部４における、吊り下げ対象物が吊り下げられる位置が定まり、フック部４の設計が容易となる。
【００３５】
線材４１の両側の端部４１ａ，４１ｂが重なる重なり部４ｃを下側環状部４ｂの側部位置に設けることで、吊り下げ対象物が重なり部４ｃに当接しない。即ち、吊り下げ対象物は、フック部４における線材４１が一本の部分（下側環状部４ｂの下部位置）に当接する。例えば、線材４１の重なり部４ｃに吊り下げ対象物が当接している場合、２本の線材４１によって吊り下げ対象物を吊り下げたり、或いは、偏り等によって１本の線材４１によって吊り下げ対象物を吊り下げたりする状況が生じる。この場合、状況によって吊り下げ対象物を吊り下げる（支える）線材４１の本数が異なるため、フック部４が吊り下げ可能な重量に変動が生じ、フック部４の設計が困難となる。そこで、線材４１の重なり部４ｃを側部位置に設けることで吊り下げ対象物は線材４１が一本の部分にのみ当接することとなり、フック部４によって吊り下げることができる重量の設定等、フック部４の設計が容易となる。
【００３６】
以上、本発明の一実施形態について説明したが、本発明は、上記実施形態に限定されるものではない。例えば、フック部４の形状を８の字形の閉曲線状としたが、８の字形に限定されず、例えば円形や多角形等、他の形状であっても良い。
【００３７】
また、アンカー部材２の構成についても、ブラケット部材３の雄ネジ部３１に螺合するナット部２４と梁１０とを繋ぐものであれば上記実施形態で説明した構成に限定されない。ナット部２４の端面２４ａと外壁５の外側面５１とが略同一面であるものとしたが、同一面に限定されず、ナット部２４の端面２４ａが外壁５の外側面５１から突出していたり、外壁５内に入り込んでいたりしても良い。
【００３８】
また、アンカー部材２とブラケット部材３とを、ナット部２４と雄ネジ部３１とを螺合させることで固定するものとしたが、螺合以外の方法によって固定してもよい。
【００３９】
また、図３（ｂ）に示すように、重なり部４ｃでは線材４１の端部４１ａ，４１ｂ同士が当接しているものとしたが、端部４１ａと端部４１ｂとの間に所定の隙間が設けられていてもよい。即ち、本明細書において、端部４１ａと端部４１ｂとが「重なる」とは、両者が当接している場合、及び、両者の間に所定の隙間が設けられている場合を含むものとする。
【符号の説明】
【００４０】
１…軸組、２…アンカー部材、４…フック部、４ａ…上側環状部（一方の環状部）、４ｂ…下側環状部（他方の環状部）、４ｃ…重なり部、５…外壁、１０…梁、２４…ナット部、２４ａ…端面、３２…係止部、３１…雄ネジ部（固定部）、４１…線材、４１ａ，４１ｂ…端部、５１…外側面。
【図１】
2013174082.tif 000003
【図２】
2013174082.tif 000004
【図３】
2013174082.tif 000005
【図４】
2013174082.tif 000006